【事件の表示】
　商願２０１８−　　３１６６拒絶査定不服審判事件について、次のとおり審決する。
【結　論】
　原査定を取り消す。
　本願商標は、登録すべきものとする。
【理　由】
１　本願商標
　本願商標は、「ＮＥＴ　ＣＯＯＰ」の欧文字を標準文字で表してなり、第３５類、第３６類、第３８類、第４１類及び第４２類に属する願書記載のとおりの役務を指定役務として、平成３０年１月１２日に登録出願され、その後、指定役務については、原審における同年１０月６日受付の手続補正書及び審判請求と同時に提出された令和元年６月７日受付の手続補正書により、最終的に、第３５類「広告の企画，職業のあっせん，経営の診断又は経営に関する助言，商品の販売に関する情報の提供，企業の福利厚生事務の代理または代行，企業の福利厚生に関する企画又はコンサルティング，企業のための管理業務の代行，台所用品・清掃用具及び洗濯用具の小売又は卸売の業務において行われる顧客に対する便益の提供，身の回り品の小売又は卸売の業務において行われる顧客に対する便益の提供，文房具の小売又は卸売の業務において行われる顧客に対する便益の提供，紙類及び文房具類の小売又は卸売の業務において行われる顧客に対する便益の提供，贈答用花及び木の小売又は卸売の業務において行われる顧客に対する便益の提供，贈答用サプリメントの小売又は卸売の業務において行われる顧客に対する便益の提供，贈答用飲食料品の小売又は卸売の業務において行われる顧客に対する便益の提供，サプリメントの小売又は卸売の業務において行われる顧客に対する便益の提供，薬剤及び医療補助品の小売又は卸売の業務において行われる顧客に対する便益の提供，飲食料品の小売又は卸売の業務において行われる顧客に対する便益の提供，自転車の小売又は卸売の業務において行われる顧客に対する便益の提供，花及び木の小売又は卸売の業務において行われる顧客に対する便益の提供，時計及び眼鏡の小売又は卸売の業務において行われる顧客に対する便益の提供，被服の小売又は卸売の業務において行われる顧客に対する便益の提供」及び第３６類「前払式支払手段の発行，ガス料金又は電気料金の徴収の代行，有価証券の売買，有価証券指数等先物取引，有価証券オプション取引及び外国市場証券先物取引，有価証券の売買・有価証券指数等先物取引・有価証券オプション取引及び外国市場証券先物取引の媒介・取次ぎ又は代理，有価証券市場における有価証券の売買取引・有価証券指数等先物取引及び有価証券オプション取引の委託の媒介・取次ぎ又は代理，外国有価証券市場における有価証券の売買取引及び外国市場証券先物取引の委託の媒介・取次ぎ又は代理，有価証券の引受け，有価証券の売出し，有価証券の募集又は売出しの取扱い，株式市況に関する情報の提供，商品市場における先物取引の受託，生命共済契約の締結の代理，生命共済契約の締結の媒介，生命共済契約の引き受け，生命保険契約の締結の媒介，生命保険の引受け，医療共済契約の締結の代理，医療共済契約の締結の媒介，医療共済契約の引き受け，損害保険契約の締結の代理，損害保険に係る損害の査定，損害保険の引受け，保険料率の算出，建物の管理，建物の貸借の代理又は媒介，建物の貸与，建物の売買，建物の売買の代理又は媒介，建物又は土地の鑑定評価，土地の管理，土地の貸借の代理又は媒介，土地の貸与，土地の売買，土地の売買の代理又は媒介，建物又は土地の情報の提供，骨董品の評価，美術品の評価，宝玉の評価，企業の信用に関する調査，慈善のための募金，住宅ローン資金の貸付け，資金の貸付け及び手形の割引，建設プロジェクトのための資金の貸付の手配，土地・建物担保付資金の貸付」と補正されたものである。
２　引用商標
　原査定において、本願商標が商標法第４条第１項第１１号に該当するとして本願の拒絶の理由に引用した登録商標は、以下のとおりであり、いずれも現に有効に存続しているものである。
（１）登録０６２２８２７号商標
商標の構成：「コープ」
登録出願日：昭和３６年８月２８日
設定登録日：昭和３８年８月１５日
書換登録日：平成１７年４月１３日
最新更新登録日：平成２５年８月２０日
指定商品：第２９類及び第３０類に属する商標登録原簿に記載のとおりの商品
（２）登録第０６３８００７号商標
商標の構成：「ＣＯ−ＯＰ」
登録出願日：昭和３７年８月１３日
設定登録日：昭和３９年３月４日
書換登録日：平成１７年２月２日
最新更新登録日：平成２５年１０月８日
指定商品：第１８類、第２１類及び第２５類に属する商標登録原簿に記載のとおりの商品
（３）登録第０８８５９６８号商標
商標の構成：「ＣＯ・ＯＰ」
登録出願日：昭和４３年１０月２日
設定登録日：昭和４６年１月１６日
書換登録日：平成１３年３月７日
最新更新登録日：平成２３年１月２５日
指定商品：第１類ないし第５類、第８類、第１０類、第１６類、第２１類及び第３０類に属する商標登録原簿に記載のとおりの商品
（４）登録第０９１８８９４号商標
商標の構成：「ＣＯＯＰ」
登録出願日：昭和４３年６月７日
設定登録日：昭和４６年８月２日
書換登録日：平成１３年９月１９日
最新更新登録日：平成２３年８月９日
指定商品：第６類、第１４類、第１８類、第２１類、第２２類、第２５類及び第２６類に属する商標登録原簿に記載のとおりの商品
（５）登録第０７１１２２５号商標
商標の構成：「ＣＯ−ＯＰ」及び「コープ」の文字の上下２段併記
登録出願日：昭和３６年７月２９日
設定登録日：昭和４１年６月２４日
書換登録日：平成１９年４月１１日
最新更新登録日：平成２８年６月２１日
指定商品：第３０類に属する商標登録原簿に記載のとおりの商品
（６）登録第０９２７９７３号商標
商標の構成：「ＣＯ・ＯＰ」及び「コープ」の文字の上下２段併記
登録出願日：昭和４３年１０月２日
設定登録日：昭和４６年９月３日
書換登録日：平成１４年８月１４日
最新更新登録日：平成２３年９月１３日
指定商品：第６類、第９類、第１２類、第１９類及び第２２類に属する商標登録原簿に記載のとおりの商品
（７）登録第１４５１７７０号商標
商標の構成：「ＣＯＯＰ」及び「コープ」の文字の上下２段併記
登録出願日：昭和４９年９月１９日
設定登録日：昭和５６年１月３０日
書換登録日：平成１５年１月８日
最新更新登録日：平成２３年２月８日
指定商品：第２９類及び第３０類に属する商標登録原簿に記載のとおりの商品
（８）登録第６０００５６７号商標
商標の構成：「ＣＯＯＰＮＥＴ」
登録出願日：平成２９年４月６日
設定登録日：平成２９年１２月１日
指定役務：第３５類に属する商標登録原簿に記載のとおりの役務
（９）登録第６０１９０５８号商標
商標の構成：「コープネット」
登録出願日：平成２９年６月１２日
設定登録日：平成３０年２月９日
指定役務：第３５類に属する商標登録原簿に記載のとおりの役務
（１０）登録第５２７９６５８号商標
商標の構成：別掲のとおり
登録出願日：平成２０年１月２９日
設定登録日：平成２１年１１月１３日
更新登録日：令和元年１１月５日
指定役務：第３５類に属する商標登録原簿に記載のとおりの役務
　なお、原査定では、以上の１０件の登録商標のほか、「コープ」又は「ＣＯＯＰ」等の文字を含む当該登録商標と同様の構成態様からなる２４３件の登録商標を拒絶の理由として引用した。
　以下、これらをまとめて「引用商標」という。
３　原査定の拒絶の理由の要旨
　原査定は、本願商標の構成中、「ＣＯＯＰ」の文字部分を分離抽出し、本願商標は、引用商標と類似する商標であって、引用商標に係る指定商品及び指定役務と同一又は類似の役務について使用するものであるから、商標法第４条第１項第１１号に該当するとしたものである。
４　当審の判断
　本願商標は、上記１のとおり、「ＮＥＴ」の欧文字と「ＣＯＯＰ」の欧文字とを１文字分の間隔をあけて「ＮＥＴ　ＣＯＯＰ」と表してなるところ、「ＮＥＴ」の欧文字と「ＣＯＯＰ」の欧文字との間が１文字分の間隔があるとしても、その構成文字は、同じ書体、同じ大きさをもって、外観上まとまりよく表されており、その構成文字に相応して生じる「ネットコープ」又は「ネットクープ」の称呼も無理なく一連に称呼し得るものである。
　そして、本願商標は、構成文字全体として辞書等に載録がなく、特定の意味合いを有する語として知られているとも認められないものである。
　さらに、本願商標の構成中の「ＮＥＴ」の欧文字部分が、原審説示の「インターネット」の意味のほか、「網、網織り、ネットワーク、わな」等多数の意味を有する語として知られているものであり、また、「ＣＯＯＰ」の欧文字部分が、「かご、狭苦しい場所、（自動車の）クーペ」等の意味を有する語（いずれも「プログレッシブ英和中辞典（第４版）」小学館）として辞書に掲載されているものであるとしても、その指定役務との関係において、いずれかの文字部分が取引者、需要者に対し役務の出所識別標識として強く支配的な印象を与えるとはいい難い。
　そうすると、本願商標は、構成全体をもって不可分一体の造語を表したものとして取引者、需要者に認識されるというのが相当であるから、その構成文字に相応して「ネットコープ」又は「ネットクープ」の称呼を生じ、特定の観念を生じないものである。
　したがって、本願商標の構成中、「ＣＯＯＰ」の文字部分のみを分離抽出し、これを前提に、本願商標と引用商標とが類似するとして、本願商標が商標法第４条第１項第１１号に該当するとした原査定は、取消しを免れない。
　その他、本願について拒絶の理由を発見しない。
　よって、結論のとおり審決する。